(57)【特許請求の範囲】
【請求項１】
支柱と、布材と、前記布材の間に架設される足場板とを備えた作業足場に用いられる足場用幅木であって、
支柱と支柱との間に架設され、前記足場板の外側縁辺に沿って立ち上がる長尺状の幅木本体と、
前記幅木本体の長手方向の両端部に設けられて支柱を把持する固定部材と、を有し、
前記固定部材は折り畳み可能に設けられ、
前記幅木本体の長手方向の両端部における下部には、前記布材の外径よりも長い長手方向長さを備えた位置決め部を有し、
前記幅木本体の一端部は、上側を切り欠いた形状であり、切欠き部の下側に残る幅木本体を位置決め部とし、
前記幅木本体の他端部は、下側を切り欠いた形状であり、切欠き部において側方へ突出するハンガー部材を位置決め部とする足場用幅木。
【請求項２】
一端部における位置決め部と他端部における位置決め部とは、布材の軸線方向における位置が異なる請求項１に記載の足場用幅木。
【請求項３】
前記幅木本体は、一端部における固定部材と同じ高さの他端部に切欠き部を有し、他端部における固定部材と同じ高さの一端部に切欠き部を有する請求項１又は２に記載の足場用幅木。
【請求項４】
前記幅木本体の下部には、固定部材が設けられる面とは反対側に突出し、足場板と幅木本体との隙間を埋める遮蔽板が設けられる請求項１から３までのいずれか一項に記載の足場用幅木。
【請求項５】
前記幅木本体の上部には、布材の軸線方向に突出するフランジ部が設けられる請求項１から４までのいずれか一項に記載の足場用幅木。
【発明の詳細な説明】
【技術分野】
【０００１】
本発明は、土木工事現場及び建築現場等で用いられる足場に好適な足場用幅木に関する。
【背景技術】
【０００２】
土木工事現場や建築現場等では、高所作業の際に図１に示すような作業足場が組み立てられる。具体的には、上下方向に延在する支柱５２と、該支柱５２と垂直でかつ水平方向に設けられる布材５３とによって足場５１の骨組みが形成される。対向する布材５３間には、足場板５４が架設される。
【０００３】
足場板５４上に置いた工具等の物の落下や、作業者等が足を踏み外すこと等を防止するため、足場板５４の外側縁部には上下方向（Ｚ方向）に立ち上がった足場用幅木（以下、単に「幅木」と称することがある。）が設置される。
【０００４】
幅木は、隣接する支柱５２間の距離と略等しい長手方向（Ｙ方向）長さを有する板状の部材（幅木本体）を有し、支柱５２間に架設される。幅木本体の長手方向の両端近傍には金具等の固定部材が取り付けられ、この固定部材によって幅木は支柱５２に取り付けられる。
【０００５】
固定部材は、幅木本体に着脱可能なタイプと、幅木本体に一体化されたタイプとがある。固定部材を幅木本体から着脱可能とすると、固定部材の管理コストが余分にかかる他、所望の幅木本体に対応した（着脱可能な）固定部材が現場に準備されていなければ幅木を取り付けることができず、突発的な足場の施工が困難となることもある。これらの観点より、固定部材が幅木本体に一体化されたタイプの幅木を用いることが好ましい。
【０００６】
固定部材を介して幅木本体を支柱に取りつける発明を開示した文献として、特許文献１が挙げられる。
【先行技術文献】
【特許文献】
【０００７】
【特許文献１】特開平１１−１４１１１６号公報
【発明の概要】
【発明が解決しようとする課題】
【０００８】
固定部材は、支柱を把持できるように、幅木本体の板面から突出することが必要である。前述の特許文献１をはじめとする従来技術では、幅木本体と固定部材とを一体化することで、常に幅木本体の板面から固定部材が突出した状態となり、幅木の保管時や運搬時等に様々な問題が引き起こされる。具体的には、幅木を積み重ねて保管する際には突出した固定部材が嵩張ってしまうという問題が生じる。また、幅木の運搬時には突出した固定部材に接触することで事故や怪我等が引き起こされる危険性もある。このように、従来は、固定部材が一体化された幅木は操作性が悪いという問題点があった。
【０００９】
また、特許文献１に開示された幅木では、幅木の長手方向（Ｙ方向）の端部に接続部（特許文献１の図１中の符号９２）が設けられる。また、横方向（Ｙ方向）に幅木を並べて取り付ける際は、１本の布材（横梁）に、一方の幅木と他方の幅木との両方が支持される。具体的には、特許文献１の図２を模擬的に示した図４（ａ）を用いて説明する。一方の幅木の端部に設けられた接続部９２ａと、他方の幅木の端部に設けられた接続部９２ｂとは、それぞれ布材５３の上に支持される。特許文献１に開示された発明では、Ｙ方向に複数の幅木を並べた際、図４（ａ）における範囲Ａにて示されるように、接続部９２ａ、９２ｂの下部のＹ方向端面同士を突き合わせることになる。このように、Ｙ方向に並べられた接続部（又は幅木本体）の下部のＹ方向端面同士を突き合わせた状態では、布材５３に支持される接続部（又は幅木本体）の長さが短く、僅かな振動等によって幅木が下方へとずり落ちてしまいやすいという問題がある。
【００１０】
本発明は、上記の問題点に鑑みて完成されたものであり、運搬時や保管時における固定部材の嵩張りを防止して操作性を改善し、かつ長手方向の端部における布材との接触部近傍の長さを十分に確保して、振動等を受けた際に下方へとずり落ちにくい幅木を提供することを課題とする。
【課題を解決するための手段】
【００１１】
本発明の手段は、次の通りである。
［１］支柱と、布材と、前記布材の間に架設される足場板とを備えた作業足場に用いられる足場用幅木であって、支柱と支柱との間に架設され、前記足場板の外側縁辺に沿って立ち上がる長尺状の幅木本体と、前記幅木本体の長手方向の両端部に設けられて支柱を把持する固定部材と、を有し、前記固定部材は折り畳み可能に設けられ、前記幅木本体の長手方向の両端部における下部には、前記布材の外径よりも長い長手方向長さを備えた位置決め部を有する足場用幅木。
［２］一端部における位置決め部と他端部における位置決め部とは、布材の軸線方向における位置が異なる［１］に記載の足場用幅木。
［３］前記幅木本体は、一端部における固定部材と同じ高さの他端部に切欠き部を有し、他端部における固定部材と同じ高さの一端部に切欠き部を有する［１］又は［２］に記載の足場用幅木。
［４］前記幅木本体の下部には、固定部材が設けられる面とは反対側に突出し、足場板と幅木本体との隙間を埋める遮蔽板が設けられる［１］から［３］までのいずれか一つに記載の足場用幅木。
［５］前記幅木本体の上部には、布材の軸線方向に突出するフランジ部が設けられる［１］から［４］までのいずれか一つに記載の足場用幅木。
【発明の効果】
【００１２】
本発明によると、運搬時や保管時における固定部材の嵩張りを防止できるとともに、支柱に取り付けた際に下方へ脱落しにくい足場用幅木を提供することができる。
【図面の簡単な説明】
【００１３】
【図１】図１は、作業足場の概略斜視図である。
【図２】図２は、幅木を作業足場に取り付けた際の概略斜視図である。
【図３】図３は、本発明に係る幅木の説明図である。
【図４】図４は、Ｙ方向に並べられた幅木の端部の説明図である。
【図５】図５は、本発明で用いられるハンガー部材を示す説明図である。
【図６】図６は、隣接する位置決め部同士のＸ方向の位置関係を示す、断面図である。
【発明を実施するための形態】
【００１４】
まず、図２を用いて、作業足場（単に「足場」と称することがある。）及び足場用幅木（単に「幅木」と称することがある。）について簡単に説明する。尚、以下では、布材５３の軸線方向をＸ方向、足場板５４及び幅木本体１１ａの長手方向をＹ方向、支柱５２の軸線方向をＺ方向とする。
【００１５】
まず、上下方向に延在する支柱５２と、水平方向に延在する布材５３とで骨格を組み、布材５３間に足場板５４を架設することで作業足場が形成される。また、物や人の脱落を防止するために、足場板５４の外側縁部に幅木１１が設けられる。
【００１６】
幅木１１は、前記足場板５４の外側縁辺に沿って、Ｚ方向に立ち上がる幅木本体１１ａを有する。幅木本体１１ａは、隣り合う支柱５２間に掛け渡されるように、その長手方向（Ｙ方向）の長さが、隣り合う支柱５２間の距離以上となる長尺状の板状部材である。幅木本体１１ａの一方面側には固定部材（図２では紙面の裏面側に設けられ、図示されていない。）が取り付けられる。詳細については後述するが、幅木１１は、幅木本体１１ａ及び固定部材の他に、下部において遮蔽板１１ｃを備えていてもよく、上部においてフランジ部１１ｄを備えていてもよい。幅木本体１１ａの下部の長手方向（Ｙ方向）端部には、位置決め部１１ｅが設けられる。尚、遮蔽板１１ｃと足場板５４との間には隙間が開いていてもよい。
【００１７】
幅木１１を取り付ける際には、固定部材を支柱５２に装着した後、幅木本体１１ａを下方へと下げていき、幅木本体１１ａの下部における位置決め部１１ｅを布材５３に当接させて幅木１１の下部を固定する。尚、布材５３と支柱５２との交差部近傍には、布材５３の上面から上方へ突出するくさびの頭部５５が設けられることもある。この場合には、位置決め部１１ｅをくさびの頭部５５と支柱５２との間に位置させる。尚、図面では省略しているが、布材５３の下面から下方へ突出するくさびの尾部（下部）を、支柱５２の側方に突出するソケット部に挿入することで、布材５３を支柱５２に装着することができる。
【００１８】
次に、図３を用いて、本発明の幅木についてより詳細に説明する。図３（ａ）は本発明に係る幅木の平面図であり、図３（ｂ）は本発明に係る幅木の正面図であり、図３（ｃ）は本発明に係る幅木の右側面図である。
【００１９】
図３（ｃ）に示すように、固定部材１１ｂは、幅木本体１１ａの支柱と対向する面（図では右側の面）に取り付けられる。また、固定部材１１ｂは、折り畳み可能となるように取り付けられる。図中の実線で示すのが支柱に幅木を取り付けるために固定部材１１ｂを突出させた状態であり、図中の点線で示すのが幅木の保管時や運搬時等に固定部材１１ｂを折り畳んだ状態である。固定部材１１ｂの取り外しを行うことなく、固定部材１１ｂの突出状態と折り畳み状態とを変更可能とする態様は特に制限されないが、例えば蝶番を介して固定部材１１ｂを幅木本体１１ａに取り付ければよい。尚、固定部材１１ｂは、水平に突出した状態を保持できるようにすることが好ましい。
【００２０】
固定部材１１ｂは、幅木１１の保管時には折り畳み状態としておくことが望ましい。幅木１１を保管する際には複数の幅木１１を重ねて保管することになるが、固定部材１１ｂを折り畳み状態とすることで、固定部材１１ｂが嵩張りの原因となることが防止され、幅木１１の保管場所が少なくてすむ。
【００２１】
また、幅木１１を運搬する場合にも固定部材１１ｂを折り畳んでおくことが望ましい。これにより、板面から突出した固定部材１１ｂと接触することによる事故や怪我などの危険を防止することができる。
【００２２】
上記の観点から、保管時及び運搬時には固定部材１１ｂを折り畳んだ状態としておき、支柱５２に取り付ける直前に固定部材１１ｂを突出させた後、幅木１１の取り付け作業を行うことが望ましい。
【００２３】
尚、固定部材１１ｂとしては支柱に固定できれば特に制限されないが、例えば、断面略Ω形状であってバネ等の弾性力によって支柱を挟持することのできるバネ式固定金具を好適に用いることができる。
【００２４】
幅木本体１１ａは、長手方向（Ｙ方向）の一端部における固定部材１１ｂの高さと、同じ高さの他端部に切欠き部を備えることが好ましい。固定部材１１ｂの高さとは、固定部材１１ｂを突出状態とした際に、固定部材１１ｂの突出先端部が位置する高さをいう。図３（ｂ）の例では、幅木本体１１ａの右下端部と左上端部とに切欠き部が設けられ、これらと同じ高さの左下端部と右上端部とに固定部材１１ｂが取り付けられる。このような配置とすることで、複数の幅木１１を横方向（Ｙ方向）に並べて取り付けていく際に、一方の幅木１１の幅木本体１１ａが障害となって、他方の幅木１１の固定部材１１ｂを支柱５２に取り付けられなくなる事態を防止することができる。尚、右下端部の切欠き部には、後述するように幅木本体１１ａとは別体の位置決め部１１ｆが設けられる。
【００２５】
尚、図３（ｂ）の例では、幅木本体１１ａの両端部において上端部又は下端部のいずれかが切り欠かれているが、切欠き部は上端部及び下端部以外であってもよい。
【００２６】
幅木本体１１ａの下部には遮蔽板１１ｃを設けることが好ましい。図３（ｃ）に示すように、遮蔽板１１ｃは幅木本体１１ａと略直角となるように設けられ、固定部材１１ｂが突出する方向とは反対側に突出する。遮蔽板１１ｃは、幅木本体１１ａと足場板５４との間に生じる隙間を埋めて、この隙間を介した物等の落下を防止する機能を有する。尚、遮蔽板１１ｃの幅や長さ等は、足場の仕様等に応じて適宜変更することができる。
【００２７】
図３（ａ）に示すように、幅木本体１１ａの上部には、布材の軸線方向（Ｘ方向）に肉厚でかつ突出するフランジ部１１ｄを設けることができる。フランジ部１１ｄには、幅木本体１１ａの上部が折り曲げられることで、いわゆる「はぜ」が形成される。フランジ部１１ｄを設けることによって、幅木１１の上部からの耐荷重性を向上させることができる。尚、図３（ｃ）の例では、幅木本体１１ａの上部におけるフランジ部１１ｄは、Ｘ方向の正面側（遮蔽板１１ｃが延在する側）に突出しているが、背面側（固定部材１１ｂが突出する側）に突出していてもよいし、正面側と背面側との両方に突出してもよい。
【００２８】
また、図３（ｂ）のように、幅木本体１１ａのＹ方向両端部の下部には、位置決め部１１ｅ、１１ｆが設けられる。位置決め部１１ｅ、１１ｆは、固定部材１１ｂにより幅木１１を支柱５２に取り付けた後に、幅木１１が下方へずり落ちてしまうことを防止するため、布材５３の上部に当接する。図３（ｂ）の例では、幅木本体１１ａの左側の端部は、幅木本体の上側を切り欠いた形状をしており、切欠き部の下側に残る幅木本体１１ａが位置決め部１１ｅとなる。一方で、図３（ｂ）における幅木本体１１ａの右側の端部は、下側が切り欠かれた形状をしており、この切欠き部において側方へと突出するように設けられた細板状のハンガー部材が位置決め部１１ｆとなる。尚、図３（ｂ）の例では、ハンガー部材を幅木本体１１ａとは別体とし、幅木本体１１ａとハンガー部材とをネジ止めにより接合しているが、溶接等の他の接合方法により接合してもよい。また、図３（ｂ）に示すハンガー部材に似た形状の位置決め部を、幅木本体１１ａの一部によって形成することもできる。
【００２９】
図４（ｂ）に示すように、位置決め部１１ｅ及び１１ｆは、それぞれの幅木本体１１ａの長手方向（Ｙ方向）の長さが、布材５３の外径以上であることが好ましい。前記長さが外径未満であると、従来例である図４（ａ）のように、布材との接触部近傍における幅木の端部の長さを十分に設けられず、振動等によって幅木１１が下方へずり落ちてしまう危険性がある。本願では、前記長さを外径以上とすることで、左右いずれの幅木の端部ともに布材を横断するように設けることができ、振動や上方向からの荷重が加わった場合であっても、幅木がずり落ちてしまうことを確実に防止することができる。尚、位置決め部１１ｅ及び１１ｆの長手方向の長さとは、幅木本体１１ａの切欠き部のＹ方向端面から突出する長さのことをいう。また、布材５３の外径とは、図４（ｂ）のように布材５３の断面が円形であれば円の径を採用すればよく、円以外の形状の場合には断面形状で最大となるＹ方向長さを採用すればよい。
【００３０】
幅木本体１１ａの両端部における位置決め部１１ｅと位置決め部１１ｆとは、それぞれＸ方向の位置を違えることが好ましい。尚、図３（ａ）は簡略化した図面であるので、位置決め部１１ｅの位置と位置決め部１１ｆの位置とを違えて描いてはいない。
【００３１】
まず、図５を用いて説明する。図５では、幅木本体１１ａに取り付けられた位置決め部１１ｆを形成する、ハンガー部材３１を示す。尚、図５（ａ）は正面図であり、図５（ｂ）は平面図である。
【００３２】
図５（ａ）に示すように、ハンガー部材３１の左側には、幅木本体１１ａに取り付けるための孔３２を備えた固定部３１ａが設けられる。また、図５（ｂ）に示すように、固定部３１ａに隣接して曲げ部３１ｂが形成され、次いで布材と実際に当接する当接部３１ｃが形成される。Ｘ方向位置を変えながらＹ方向に延在する曲げ部３１ｂを設けることにより、当接部３１ｃのＸ方向位置と、固定部３１ａに取り付けられる幅木本体のＸ方向位置とは異なることになる。
【００３３】
次に、図６を用いて説明する。図６では、Ｙ方向に並べた一方の幅木１１の位置決め部１１ｅと、他方の幅木１１の位置決め部１１ｆのＸ方向位置を断面図により示す。一方の幅木本体に設けられた位置決め部１１ｅは図の左側に示されており、他方の幅木本体に設けられた位置決め部１１ｆは図の右側に示されている。
【００３４】
図６のように、２つの位置決め部のＸ方向の位置を違えていると、２つの幅木をＹ方向に並べて設置する際であっても、一方の幅木の位置決め部と他方の幅木の位置決め部とが干渉することを防ぐことができる。特に、図４（ｂ）のように位置決め部１１ｅ、１１ｆの長さを布材５３の外径以上とすると、Ｙ方向において両方の位置決め部が重複する位置が生じることになるが、２つの位置決め部１１ｅ、１１ｆのＸ方向の位置を違えていることにより、一方の幅木の位置決め部が障害となって他方の幅木を取り付けられなくなることが防止される。
【符号の説明】
【００３５】
１１              足場用幅木
１１ａ            幅木本体
１１ｂ            固定部材
１１ｃ            遮蔽板
１１ｄ            フランジ部
１１ｅ、１１ｆ    位置決め部
３１              ハンガー部材
３２              孔
３２ａ            固定ボルト
５１              足場
５２              支柱
５３              布材
５４              足場板
５５              くさびの頭部
９２ａ、９２ｂ    接続部
【図１】
0006594252.tif 000002
【図２】
0006594252.tif 000003
【図３】
0006594252.tif 000004
【図４】
0006594252.tif 000005
【図５】
0006594252.tif 000006
【図６】
0006594252.tif 000007